(57)【要約】 【課題】  パチンコホールに適する表示装置を提供する。【解決手段】  幕板内にランプ６が組み込まれる。ランプの前部にはガイド部材７が取り付けられ、ここには導光表示部２が抜き差し自在である。ガイド部材７の底面にはリミットスイッチ１０が設けられ、導光表示部２がセットされると、リミットスイッチ１０によってランプ１０が点灯・消灯する。導光表示部２の導光パネル８の表面には文字が付された拡散シート１４が貼り付けられている。【選択図】  図１
2005111250.tif 000002
【特許請求の範囲】
【請求項１】
幕板に組み込まれた光源と、前記幕板における前記光源と対応する位置に取り付けられたガイド部材と、このガイド部材に対し抜き差し自在であり、ガイド部材に装着されたときに前記光源からの光をその端縁から入射させてその両側面から透過させる導光表示部と、前記ガイド部材内に組み付けられ前記導光表示部の抜き差しによって前記光源を点灯・消灯させるスイッチとからなることを特徴とするパチンコホールの表示装置。
【発明の詳細な説明】
【技術分野】
【０００１】
本発明は、パチンコホールの表示装置に関する。
【背景技術】
【０００２】
従来、ワープロ等のＯＡ機器のディスプレイには、その液晶ディスプレイの背面に蛍光管を配置した方式が一般的であった。しかし、最近では薄型化のためにエッジライト方式と呼ばれる面光源装置が開発されてきている（特許文献１参照）。
【０００３】
この面光源装置は、光源であるランプ管と導光パネルとを備えたものであるが、光源は導光パネルの背面でなく一端縁に配置している。また、導光パネルは透明なアクリル板の両側面に拡散シートと不透明の反射シートとを重ね合わされて構成されており、導光パネルの一端縁からランプ管からの光が入射すると、その光はアクリル板内に広がって反射シートで反射し、側面全域から拡散シートを介して出射されるというものである。
【特許文献１】実開昭６１−１５７９８５号公報
【発明の開示】
【発明が解決しようとする課題】
【０００４】
しかし、上記のような構造のものをそのままパチンコホールの表示装置として適用するためには、さらに工夫が必要である。
【０００５】
本発明は上記のような事情に基づいて完成されたものであって、パチンコホールの表示装置として好適なものを提供することを目的とする。
【課題を解決するための手段】
【０００６】
上記の目的を達成するための手段として、請求項１の発明は、幕板に組み込まれた光源と、前記幕板における前記光源と対応する位置に取り付けられたガイド部材と、このガイド部材に対し抜き差し自在であり、ガイド部材に装着されたときに前記光源からの光をその端縁から入射させてその両側面から透過させる導光表示部と、前記ガイド部材内に組み付けられ前記導光表示部の抜き差しによって前記光源を点灯・消灯させるスイッチとからなる構成としたところに特徴を有する。
【発明の効果】
【０００７】
＜請求項１の発明＞
本発明の表示装置によれば、導光表示部を抜き差しすることによってスイッチがオン・オフし、光源を点灯・消灯させることができる。
【発明を実施するための最良の形態】
【０００８】
以下、本発明の面光源装置をパチンコホールでの大当たり状態等を報知する表示装置に適用した一実施例について図１乃至図６を参照して説明する。
本発明の面光源装置は、図１に示すように、光源部１とこの光源部１に対し切り離し可能に組み付けられる導光表示部２とから構成される。
【０００９】
まず、光源部１から説明すると、図２に示すように、パチンコ台の上方に配された幕板３には、各パチンコ台に対応して縦長の開口３ａがそれぞれ開設されており、その裏面側から開口３ａを覆うようにしてランプケース４がビス等によって取り付けられている。このランプケース４において開口３ａと対向する面には透光性を有する透光板５が嵌め込まれて取り付けられている。また、ランプケース４内にはランプ６が所定間隔で上下方向に３個並んだ状態で収納されており、各ランプ６からの光が透光板５を通して前方へ照射されるようになっている。なお、ランプ６は白熱ランプに限らず、蛍光管、フラッシュランプ等を使用してもよい。特に、ランプケース４の厚みによっては、幕板に孔を開けないと取付けができないような場合もあるが、このようなときには蛍光管を用いて薄型化を図ることが望まれる。
【００１０】
幕板３の前面において各開口３ａに対応した位置には、光源部１の構成要素であるガイド部材７が設けられている。ガイド部材７は後述する導光表示部２の差し込みを案内し併せて同表示部２を保持するためのものであり、前面側および上側へ開口する断面Ｃ字型に形成されるが、その下面は底板９によって閉止されている。また、底板９の上面の中央部にはリミットスイッチ１０が設けられており、導光表示部２がガイド部材７内にセットされることで導光表示部２の下端面によってオン状態となるようにしてある。なお、このリミットスイッチ１０は前記した各ランプ６の点灯回路（図示しない）に組み込まれ、リミットスイッチ１０のオン・オフによって各ランプ６の点灯・消灯がなされるようになっている。但し、点灯・消灯は手動でなされるようにすることも可能であり、その他、フォトダイオード及び発光ダイオードを用い発光ダイオードからの光が導光表示部２によって遮断されることによりランプ６を点灯させる構成のものや、導光表示部２の一部が光源部１側の一部に接触することにより導通状態とされてランプ６が点灯する構成のもの等でもよい。
【００１１】
次に、導光表示部２について図３及び図４に基づいて説明すると、導光表示部２は導光パネル８とその一端縁側に取り付けられた係止具１１によって構成されている。この係止具１１は導光パネル８の一端縁に圧入される部分の側縁に一対のフランジ片１１ａを有しており、両フランジ片１１ａをガイド部材７へ差し込むことで導光表示部２が抜き差し自在に保持される。
【００１２】
導光パネル８は、２枚の透明なアクリル製の導光板１２を貼り合わせることによって、図示長方形状に形成されるとともに、２枚の導光板１２間には、ほぼ導光板１２と同じ大きさの非透光材よりなる反射シート１３が挟み込まれている。但し、この例では２枚の導光板１２は相互の周縁に接着剤を塗布して接着されているが、周縁に適当なクランプ具によって挟み付けて固定する方式でもよい。また、反射シートをインサートした状態で成形するようにしてもよい。
【００１３】
２枚の導光板１２が貼り合わされてなる導光パネル８の両外側面には、光を散乱させながら双方向へ出射させるための半透明状の拡散シート１４が、その周縁に接着剤を塗布した状態でそれぞれ貼り合わされている。さらに、各拡散シート１４の表側の面には「大当たり」の文字が付されている。なお、本例では表示パネルは異なる表示内容を付したものがいくつか用意され（例えば、図６に示すような「ラッキー台」の表示を付したもの）、状況に応じて適宜選択使用される。
【００１４】
さらに、２枚の導光板１２を貼り合わせてなる導光パネル８において光源部１に対向する側の縁を除いた他の周縁にも反射シート１３が貼りつけられ、これらから光が漏出しないようになっている。さらにまた、図５に示すように、各導光板１２において反射シート１３が貼り合わされる側の面にはそれぞれ反対側の面へ光を拡散させるための斑点模様１５がシルク印刷によって付されているとともに、この斑点模様１５は光源部１に近い側が粗に配置され、遠ざかるにつれて密になるように配置されており、これによって各拡散シート１４側の面の全域へ均一に光を出射可能としている。
【００１５】
次に、本実施例の作用について述べる。特定のパチンコ台がいわゆる「大当たり」の状態になると、このことを店内の客に知らせるために従業員によって導光表示部２のガイド部材７への取付けが行われる。まず、ガイド部材７の上方から係止具１１のフランジ片１１ａを差し込む。そして、底板９に至るまで差し込みがなされると、係止具１１の下端部によってリミットスイッチ１０が押され、図示しない点灯回路によって各ランプ６が点灯する。すると、各ランプ６からの光は各導光板１２の側縁からそれぞれ導光板１２内に分かれて広がり、各反射シート１３にて反射される。そして、導光パネル８の両側面全域からそれぞれ拡散シート１４を介して両側方（図６中矢印方向）に出射される。これにより、「大当たり」の文字が導光パネル８の両側面に浮かび上がり、大当たり状態であることを導光パネル８の両側方から視認できる。すなわち、本例のものは文字を前方からあるいは側方から光を当てるのではなく、文字の背景から光を照射させるため、文字の輪郭全体を輝かせることができるため、視認性に優れたものとなる。
【００１６】
また、大当たり状態が終了すれば、導光パネル８をガイド部材７から取り外すのであるが、それには、導光パネル８を上方に移動させて、ガイド部材７から係止具１１を引き抜けばよい。
【００１７】
さらに、その日のうちに大当たりを経験した開放台については、両側面に「ラッキー台」の表示がなされた導光パネル８に付け換えがなされ、この場合にも各ランプ６からの光は、各導光板１２内に分かれて広がり両側面から光が出射され、導光パネル８の両側方からその文字を視認すことができる。
【００１８】
すなわち、本実施例では、面光源でありながら反射シート１３を挟んで２枚の導光板１２を貼り合わせることにより、各ランプ６からの光が各導光板１２内を分かれて広がってゆき、両側面から出射されるから、導光パネル８の両側方からその文字を視認でき、実用価値が大となる効果を奏する。また、一方の側面から他方の側面が透けて見えることもないから、両側面に配される文字が重なってみえず、遠方からでも確実に文字内容を認識することができる。
【００１９】
なお、本発明は上記実施例に限定されるものではなく、例えば次のように変形して実施することができ、これらの実施態様も本発明の技術的範囲に属する。
（１）  本実施例では、拡散シート１４に文字等を記載する構成であったが、各導光板の間に挟み込んだ反射シートの両面に記載する構成であってもよい。
（２）  本実施例では、光源部１と導光表示部２とが着脱可能に構成されていたが、固定的に構成されているものであってもよい。
（３）  本実施例では、各拡散シート１４に記載される文字は同じ内容のものであったが、異なる内容のものであってもよい。
（４）  本例ではパチンコホールに適用した場合を示したが、その他、例えば飲食店等において「営業中」或いは「本日の営業は終了しました」等を表示する表示札や、看板等に使用することも考えられ、特に薄型が要求されかつ多くの者に表示内容を報知しなければならないような態様においては、本発明の実用価値は大きい。
【００２０】
（５）  本例では非透光層として反射シート１３を使用したが、透光性を有さないものであれば、特に材質は問わない。
【００２１】
（６）  本例では表示内容の変更は導光表示部２全体の変更を伴うものであったが、内容の異なる表示をした反射シートをいくつか用意しておき、導光表示部２ごとの取り替えでなく、反射シート単体での取り替えですむようにしてもよい。この場合には、一枚の導光板に平面方向に沿って溝を刻設し、ここへ反射シートを抜き差し可能にすればよい。また、文字の表示場所は反射シートでなく、その前面側に透明シートを配し、ここに記載するようにしてもよい。そのような場合には、この透明シートを単体で取り替え可能としてもよく、またこの場合、溝への差し込みではなく、前述したようなクランプ具によって挟み込んだ状態で固定するようにしてもよい。さらに、透明シートはカラーシートを使用してもよく、ここに文字を直接あるいは打ち抜きによって設けてもよく、こうすれば簡易なカラー表示となる。
（７）  本例では光源をランプケース４内に収納したが、係止具１１内に収納させるようにすることも可能である。そのような場合には、係止具１１自体にコネクタを形成し、幕板側のコネクタに嵌合して電気的な接続を図るようにしてもよい。その他、本発明は要旨を逸脱しない範囲内で種々変更して実施することができる。
【図面の簡単な説明】
【００２２】
【図１】本実施例の全体を示す斜視図である。
【図２】装着部分を示す平断面図である。
【図３】導光パネルを示す縦断面図である。
【図４】導光パネルを示す横断面図である。
【図５】導光パネルの斑点模様を示す平面図である。
【図６】ガイド部材に導光表示部を装着した状態を示す斜視図である。
【符号の説明】
【００２３】
１…光源部（光源）
２…導光表示部
１２…導光板
１３…反射シート
１４…拡散シート
【図１】
2005111250.tif 000003
【図２】
2005111250.tif 000004
【図３】
2005111250.tif 000005
【図４】
2005111250.tif 000006
【図５】
2005111250.tif 000007
【図６】
2005111250.tif 000008